(57)【要約】【課題】広色域の色を表示している画像の領域を容易に判別することができる表示装置を提供すること。【解決手段】画素領域分割処理部（１３ｂ）は、Ｌを基準に、右側の画素領域１１０、左側の画素領域１１１に分割する。そして、右側の画素領域１１０の各画素においては、xvYCC規格に基づき画像を表示する（符号１１０ａ参照）。一方、左側の画素領域１１１の各画素においては、xvYCC規格と互換性のあるITU-RBT.709規格に基づき画像を表示する（符号１１１ａ参照）。【選択図】図４
2009229883.tif 000002
【特許請求の範囲】
【請求項１】
所定の色空間よりも広色域の色空間に対応した色信号を含む画像を表示するための表示装置において、
前記広色域の色空間に対応した色信号を含む映像信号を前記所定の色空間に対応した映像信号に変換するための映像信号変換部と、
前記表示装置の表示部を複数の画面に分割して縮小表示するための表示制御部と、
前記広色域の色空間に対応した色信号を検知するための検知部と、
前記分割された画面に対応して、少なくとも２画面分の映像信号を当該画面に対応して記憶可能なメモリを備え、
前記メモリの一の領域には前記広色域表示に対応した映像信号を展開し、他の領域には前記広色域表示に対応した映像信号を前記映像信号変換部により変換した映像信号を展開することにより、前記広色域表示に対応した映像信号による画像と、前記所定の色域表示に対応した映像信号による画像とを対比して表示することを特徴とする表示装置。
【請求項２】
前記メモリの一の領域には前記表示部に表示される画像の縮小画像の表示に係わる広色域表示に対応した映像信号を展開し、前記メモリの他の領域には前記縮小画像の表示に係わる広色域表示に対応した映像信号を前記映像信号変換部により変換した映像信号を展開することを特徴とする請求項１に記載の表示装置。
【請求項３】
前記メモリの一の領域内の、前記広色域の色の表示に係わる画素を検知し、検知した画素における、前記広色域の色の表示と任意の色の表示とを切り換えることを特徴とする請求項１又は２に記載の表示装置。
【発明の詳細な説明】
【技術分野】
【０００１】
本発明は、従来、表示していた色域を超えた広色域の色を表示し、当該広色域の色を表示していることを明示する表示装置に関する。
【背景技術】
【０００２】
自然界には、テレビ画面に表示される画像の色域を超えた色が存在する。例えば、ＨＤＴＶで表示できる色域は、ＩＴＵ−ＲＢＴ.７０９規格で規定されている。一方、ＩＴＵ−ＲＢＴ.７０９規格の色域を超えた色を表示できる表示装置が開発されている。
ＩＴＵ−ＲＢＴ.７０９規格で規定された輝度信号と色差信号とで表現される色域の範囲を超えた色域を表現するための規格の一例としてｘｖＹＣＣ規格が国際標準規格「ＩＥＣ６１９６６−２−４」によって提案されている（非特許文献１参照）。ｘｖＹＣＣ規格の特徴は、ＩＴＵ−ＲＢＴ.７０９規格との互換性を確保しながら、広色域の色を表現するため色空間を広げた点にある。
【０００３】
新たに開発された、ｘｖＹＣＣ規格に対応した表示装置において、ｘｖＹＣＣ規格に準拠した映像信号（以下、ｘｖＹＣＣ信号と記す）に基づいた映像を表示すると、ＩＴＵ−ＲＢＴ.７０９規格に準拠した映像信号（以下、ＲＧＢ信号と記す）に基づいた映像で表示される色域の色よりも広範囲の色を表示することができる。
【非特許文献１】“Multimedia systems and equipment-Colour measurement and management-Part2-4:Colourmanagement-Extended-gamut YCC colour space for video applications-xvYCC”,2006-01-17
【発明の開示】
【発明が解決しようとする課題】
【０００４】
しかし、ｘｖＹＣＣ信号に基づいた映像を表示装置に表示する場合、ユーザは、前述した、ＩＴＵ−ＲＢＴ.７０９規格で規定された輝度信号と色差信号とで表現される色域の範囲を超えた広色域の色の表示領域を、容易には判別できないので、例えば、前記広色域の色を表示している領域を目立たせるような、画質調整をする場合、不便であった。
【０００５】
また、例えば、ｘｖＹＣＣ信号に基づいた映像を表示できる表示装置のデモンストレーションを行うような場合、ユーザに対して表示装置が広色域の色を表示していることを認識させることができない。
【０００６】
本発明は、かかる実情に鑑みてなされたものであり、広色域の色を表示している画像の領域を容易に判別することができる表示装置を提供することを目的とする。
【課題を解決するための手段】
【０００７】
第１の技術手段は、所定の色空間よりも広色域の色空間に対応した色信号を含む画像を表示するための表示装置において、前記広色域の色空間に対応した色信号を含む映像信号を前記所定の色空間に対応した映像信号に変換するための映像信号変換部と、前記表示装置の表示部を複数の画面に分割して縮小表示するための表示制御部と、前記広色域の色空間に対応した色信号を検知するための検知部と、前記分割された画面に対応して、少なくとも２画面分の映像信号を画面に対応して記憶可能なメモリを備え、前記メモリの一の領域には前記広色域表示に対応した映像信号を展開し、他の領域には前記広色域表示に対応した映像信号を前記映像信号変換部により変換した映像信号を展開することにより、前記広色域表示に対応した映像信号による画像と、前記所定の色域表示に対応した映像信号による画像とを対比して表示することを特徴とする表示装置である。
【０００８】
第２の技術手段は、第１の技術手段において、前記メモリの一の領域には前記表示部に表示される画像の縮小画像の表示に係わる広色域表示に対応した映像信号を展開し、前記メモリの他の領域には前記縮小画像の表示に係わる広色域表示に対応した映像信号を前記映像信号変換部により変換した映像信号を展開することを特徴とする。
【０００９】
第３の技術手段は、第１又は第２の技術手段において、前記メモリの一の領域内の、前記広色域の色の表示に係わる画素を検知し、検知した画素における、前記広色域の色の表示と任意の色の表示とを切り換えることを特徴とする。
【発明の効果】
【００１０】
本発明により、広色域の色を表示している領域を容易に判別することができる。従って、例えば、広色域の色を表示している画像の領域を目立たせるような、画質調整が容易にできる。また、ｘｖＹＣＣ信号に基づいた映像を表示できる表示装置のデモンストレーションを行う場合、ユーザは、前記表示装置が広色域の色を表現している画像の領域を容易に認識できる。
【発明を実施するための最良の形態】
【００１１】
本発明に係わる表示装置を説明する前に、ＩＴＵ−ＲＢＴ.７０９規格とｘｖＹＣＣ規格による映像信号について簡単に説明する。
図１は、光の色をｘｙの平面座標で表したｘｙ色度図で、図２は、ＩＴＵ−ＲＢＴ.７０９規格の色空間、及び、ｘｖＹＣＣ規格の色空間を二次元で表した図である。
撮像装置は、光電変換により、Ｒ、Ｇ、Ｂの３成分の色信号Ｒ、Ｇ、Ｂを出力する。この各色信号においては、Ｒ、Ｇ、Ｂ各々が８ビットのデータ量を用いて表現される０〜２５５の内の、１６〜２３５の整数値に、色信号Ｒ、Ｇ、Ｂの信号レベル０〜１.０（０〜１００％）が割り当てられている。つまり、Ｒ、Ｇ、Ｂの信号は、２２０（＝２３５−１６＋１）階調で表わされる。
そして、前記色信号Ｒ、Ｇ、Ｂを所定の方式（カラーマトリクス係数による演算）によって、ＩＴＵ−ＲＢＴ.７０９規格の輝度信号Ｙ、色差信号Ｃｂ、Ｃｒに変換する。
【００１２】
次に、輝度信号Ｙを表すために、８ビットのデータ量を用いて表現される０〜２５５よりも狭い整数範囲、１６〜２３５の整数値に、０〜１.０の輝度信号Ｙの信号レベルを割り当てる。それ故、輝度信号Ｙは、２２０階調で表される。
ここまでの処理に両規格の間に相違はない。
【００１３】
次の、色差信号Ｃｂ、Ｃｒを表すための処理が両規格の間で相違している。ＩＴＵ−ＲＢＴ.７０９規格は、８ビットのデータ量を用いて表現される０〜２５５よりも狭い整数範囲、１６〜２４０の整数値に、−０.５〜０.５の信号レベルを割り当てる（図２横軸参照）。つまり、−０.５未満は−０.５に、０.５超は０.５に丸めて表現している。なお、Ｃｂ、Ｃｒは、２２５（＝２４０−１６＋１）階調で表わされる。
こうして得られた輝度信号Ｙ、色差信号Ｃｂ、Ｃｒに基づいてＲＧＢの信号を再現して表示装置に表示される。
【００１４】
上記の輝度信号Ｙ、色差信号Ｃｂ、Ｃｒの映像信号により、図１の三角形及び図２の中央の菱形領域で示した色空間が再現される。
【００１５】
一方、ｘｖＹＣＣ規格では、色差信号Ｃｂ、Ｃｒについて、８ビットのデータ量１〜２５４の整数範囲を用いて表現する。そこで、上記１〜２５４の整数の内の１６〜２４０の整数値には、−０.５〜０.５の色差信号Ｃｂ、Ｃｒの信号レベルを割り当て、上記整数値の１〜１５には、−０.５７〜−０.５未満の色差信号Ｃｂ、Ｃｒの信号レベルを割り当て、同２４１〜２５４には、０.５超〜０.５６の色差信号Ｃｂ、Ｃｒのレベルを割り当てる（図２横軸参照）。
【００１６】
つまり、ｘｖＹＣＣ規格に基づいた色差信号Ｃｂ、Ｃｒは、ＩＴＵ−ＲＢＴ.７０９の色差信号Ｃｂ、Ｃｒを包含して、−０.５７〜０.５６に拡張された色差信号Ｃｂ、Ｃｒを表現している。
なお、前記変換により、色差信号Ｃｂ、Ｃｒの信号レベルが−０.５７未満、０.５６を超える値に変換された場合には、−０.５７以上、０.５６以下に丸められる。
【００１７】
これにより、ｘｖＹＣＣ規格に基づいた輝度信号Ｙ及び色差信号Ｃｂ，Ｃｒが、ｘｖＹＣＣ規格対応の表示装置に入力され、当該表示装置において、入力された輝度信号Ｙ及び色差信号Ｃｂ，Ｃｒが、色信号Ｒ、Ｇ、Ｂに変換された場合には、変換後の色信号Ｒ、Ｇ、Ｂの信号レベルは、図２に示したように、０〜１.０よりも広範囲の値、即ち、０未満や１を超える値（図２の１＜Ｒ，Ｇ，Ｂ：Ｒ，Ｇ，Ｂ＜０）をとり得る。
【００１８】
このように、ｘｖＹＣＣ規格においては、ＩＴＵ−ＲＢＴ.７０９で表現できる色域よりも広色域の色を表現することができるが、ユーザは、ｘｖＹＣＣ信号に基づいた映像が表示装置に表示された場合、当該広色域の色を表示している領域を容易に認識できない。
そこで、本発明では、広色域の色を表示している領域を容易に認識できるようにする。
【００１９】
ここで、ユーザが広色域の色を表示している領域を容易に認識できる方法を例示する。
図３の表示画面に表示される画像１００において、１００ａが、ｘｖＹＣＣ規格で表現された広色域の色を表した表示領域とする。
本発明は、図３の表示画面に表示される画像１００を、図４に示したように、Ｌを基準に、右側の画素領域１１０、左側の画素領域１１１に分割する。
そして、右側の画素領域１１０の各画素においては、ｘｖＹＣＣ規格に基づき画像を表示する（符号１１０ａ参照）。
一方、左側の画素領域１１１の各画素においては、ｘｖＹＣＣ規格と互換性のあるＩＴＵ−ＲＢＴ.７０９規格に基づき画像を表示する（符号１１１ａ参照）。
【００２０】
また、本発明は、図３の表示画面に表示される画像１００を、図５に示したように、右側の縮小画像１２０、左側の同１２１のように縮小し、２画面表示にする。
そして、右側の縮小画像１２０の各画素においては、ｘｖＹＣＣ規格に基づき画像を表示する（符号１２０ａ参照）。
【００２１】
一方、左側の縮小画像１２１の各画素においては、ｘｖＹＣＣ規格と互換性のあるＩＴＵ−ＲＢＴ.７０９規格に基づき画像を表示する（符号１２１ａ参照）。
【００２２】
また、本発明は、図３の符号１００ａ、図４の符号１１１ａ、図５の符号１２１ａで示されるｘｖＹＣＣ規格で表現された広色域の色を表した表示領域を、ユーザからの指示を受け、図６の１３１ａのように、例えば、前記広色域の色の表示と任意の色の表示、例えば白色表示とを切り換える（フラッシング）。また、任意の色で表示する。
【００２３】
このように、ｘｖＹＣＣ規格に基づいた映像信号による画像と、ＩＴＵ−ＲＢＴ.７０９規格に基づいた映像信号よる画像とを対比して表示することによってユーザは広色域の色を表示している領域を容易に認識できるようになる。
【００２４】
図７は、本発明に係わる表示装置１を説明するためのブロック図である。
表示装置１は、所定の色域の色よりも広色域の色を表示可能な表示部１６を備え、表示部１６に前記広色域の色を含む画像を表示するための広色域表示に対応した規格、例えば、ｘｖＹＣＣ規格の映像信号により画像を表示する。
【００２５】
１１は、表示装置１に入力される静止画像、動画像（ＭＰＥＧ等）のコンテンツデータをデコードするコンテンツデータデコード部である。コンテンツデータデコード部１１は、さらに、前記デコードしたデータから画像信号（画像データ）を抽出して、１フレーム分の映像信号（輝度信号Ｙ、色差信号Ｃｂ、Ｃｒ）を表示制御部１３に出力する。
１２は、画像メモリで、表示部１６に表示する画像の画素の映像信号を記憶する。
メモリ１２は、後述するように、分割された画面に対応して、少なくとも２画面分の映像信号を当該画面に対応して記憶可能である。
【００２６】
表示制御部１３は、入力された輝度信号Ｙ、色差信号Ｃｂ、Ｃｒを、色信号Ｒ、Ｇ、Ｂに変換する処理を実行する。
また、表示制御部１３は、広色域の色空間に対応した色信号を含む映像信号例えばｘｖＹＣＣ規格の映像信号を、所定の色空間に対応した映像信号例えばＩＴＵ−ＲＢＴ.７０９規格の映像信号に変換する映像信号変換部１３ａと、図４で説明したように、表示画面を分割し、分割した片方の画素領域に広色域の色の画像を表示し、同他方の画素領域に所定の色域の色の画像を表示する処理を実行する画素領域分割処理部１３ｂと、図５で説明したように、２画面表示処理を実行し、片方の表示画面に広色域の色の画像を表示し、他方の表示画面に所定の色域の色の画像を表示する処理を実行する２画面処理部１３ｃとを有する。
【００２７】
さらに、表示制御部１３は、広色域の色空間に対応した色信号を検知、具体的には、広色域の色を表示する、画像メモリ１２内の画素を検知する広色域表示画素検知部１３ｄと、前記検知部１３ｄが検知した広色域の色を表示する画素を強調表示する処理を実行する広色域表示画素強調部１３ｅを有する。
【００２８】
なお、映像信号変換部１３ａ、画素領域分割処理部１３ｂ、２画面処理部１３ｃ、広色域表示画素検知部１３ｄ、広色域表示画素強調部１３ｅの詳細な説明については、後述する。
【００２９】
１４は、ユーザが、表示装置１を操作するための操作部で、操作部１４を介してユーザは、表示装置１に、図４〜図６に例示した、各種処理の実行を指示する。
１５は、表示制御部１３が変換した色信号Ｒ、Ｇ、Ｂに対して、当該色信号を表示部１６に表示するために必要となる各種画像処理を施し、表示部１６に出力する処理を制御する画像データ出力部である。
表示部１６は、液晶ディスプレイ、有機ＥＬディスプレイ（Organic Electroluminescence Display）、ＦＥＤ（Field Emission Display）、ＳＥＤ（Surface-conduction Electron-emitter Display）、ＰＴＡディスプレイ（Plasma Tube Array Display）等から構成される。
【００３０】
（映像信号変換処理）
映像信号変換部１３ａは、広色域表示に対応した規格の映像信号、例えば、ｘｖＹＣＣ規格に基づいた輝度信号Ｙ及び色差信号Ｃｂ，Ｃｒを、前記所定の色域の画像の表示に対応した規格の映像信号、例えば、ＩＴＵ−ＲＢＴ.７０９規格に基づいた輝度信号Ｙ及び色差信号Ｃｂ，Ｃｒに変換する。具体的には、ｘｖＹＣＣ規格に基づいた色差信号Ｃｂ，Ｃｒの、信号レベル−０.５７〜−０.５未満を−０.５に補正し、信号レベル０.５超〜０.５６を０.５に補正する。
また、前記ｘｖＹＣＣ規格に基づいた輝度信号Ｙ及び色差信号Ｃｂ，Ｃｒを、前述のように、色信号Ｒ、Ｇ、Ｂに変換した場合に、変換した色信号Ｒ、Ｇ、Ｂの信号レベルが０未満又は１を超える値（拡張された色域に対応する値）になると、それぞれ０又は１に補正するようにしてもよい。
【００３１】
（画素領域分割表示処理）
画素領域分割処理部１３ｂは、画像メモリ１２の領域を表示部１６の画面の表示領域の分割と対応させて分割し、前記分割したメモリの一の領域に、ｘｖＹＣＣ規格に基づいた輝度信号Ｙ及び色差信号Ｃｂ，Ｃｒを展開し、メモリの他の領域には前記輝度信号Ｙ及び色差信号Ｃｂ，Ｃｒを映像信号変換部１３ａによって変換した映像信号、例えば、ＩＴＵ−ＲＢＴ.７０９規格に基づいた輝度信号Ｙ及び色差信号Ｃｂ，Ｃｒを展開する。
そして、表示制御部１３は、画像メモリ１２の輝度信号Ｙ及び色差信号Ｃｂ，Ｃｒを色信号Ｒ、Ｇ、Ｂに変換後、画像メモリ１２に再展開し、画像データ出力部１５に出力する。画像データ出力部１５に入力された映像信号は、当該出力部１５よって所定の処理が施される。
そして、表示部１６に、図４に示すように、ｘｖＹＣＣ規格に基づいた映像信号による画像と、ＩＴＵ−ＲＢＴ.７０９規格に基づいた映像信号による画像とが対比して表示される。
【００３２】
（２画面表示処理）
２画面処理部１３ｃは、表示部１６に表示される画像の表示に係わるｘｖＹＣＣ規格に基づいた輝度信号Ｙ及び色差信号Ｃｂ，Ｃｒに基づいて、当該画像の縮小画像の表示に係わる同輝度信号Ｙ及び色差信号Ｃｂ，Ｃｒを生成する。そして、２画面表示処理に対応して、分割したメモリの一の領域に、前述の生成した、前記縮小画像の表示に係わるｘｖＹＣＣ規格に基づいた輝度信号Ｙ及び色差信号Ｃｂ，Ｃｒを展開し、メモリの他の領域に、前述の生成した、前記縮小画像の表示に係わるｘｖＹＣＣ規格に基づいた輝度信号Ｙ及び色差信号Ｃｂ，Ｃｒを映像信号変換部１３ａにより変換した輝度信号Ｙ及び色差信号Ｃｂ，Ｃｒを展開する。
【００３３】
画像メモリ１２に展開された輝度信号Ｙ及び色差信号Ｃｂ，Ｃｒは、前述のようにして、図５に示すように表示される。
【００３４】
（広色域表示画素の検知）
広色域表示画素検知部１３ｄは、広色域の色を表示する、画像メモリ１２（領域）内の画素を検知する。
前記検知方法は、様々あるが、前記画像メモリ１２内のある画素に対応する、色差信号Ｃｂ、Ｃｒの信号レベルが−０.５７〜−０.５又は０.５〜０.５６の場合には、当該画素が広色域の色を表示すると判定することにより、広色域の色を表示する、画像メモリ１２内の画素を検知することができる。
また、前述したように、画像メモリ１２内のある画素に対応する、表示制御部１３が変換した色信号Ｒ、Ｇ、Ｂの信号レベルが０未満や１を超える値（拡張された色域に対応する値）の場合には、当該画素が広色域の色を表示すると判定することにより、広色域の色を表示する、画像メモリ１２内の画素を検知してもよい。
【００３５】
（広色域表示画素の強調）
広色域表示画素強調部１３ｅは、広色域表示画素検知部１３ｄが検知した広色域の色を表示する画素を強調表示する処理を実行する。強調表示処理の一例としては、前記検知した画素の色を白色、黒色などの色に変更する処理を行う。
なお、前記検知した画素において、前記広色域の色の表示と、任意の色、例えば、白色の表示とを切り換える処理、すなわち、点滅表示処理を実行してもよい。
【００３６】
次に、２画面表示処理、画素領域分割表示処理の選択について、図８のフロー図を用いて説明する。
まず、ユーザが操作部１４を操作して、画素領域分割表示処理、２画面表示処理のいずれかを選択する（ステップＳ１）。
【００３７】
ユーザが、画素領域分割表示処理を選択した場合（ステップＳ１／画素領域分割表示処理）、選択した画素領域分割表示処理を実行する（ステップＳ２）。
【００３８】
ユーザが、２画面表示処理を選択した場合（ステップＳ１／２画面表示処理）、選択した２画面表示処理を実行する（ステップＳ３）。
【００３９】
このように、広色域の色を表示している領域を容易に判別するための各種処理を選択することができるので、ユーザの利便性が向上する。
【図面の簡単な説明】
【００４０】
【図１】光の色をｘｙの平面座標で表したｘｙ色度図である。
【図２】ＩＴＵ−ＲＢＴ.７０９規格の色空間、及び、ｘｖＹＣＣ規格の色空間を二次元で表した図である。
【図３】本発明の表示装置に表示される画像を説明するための表示画面の一例を示した図である。
【図４】本発明の画面分割表示処理を説明するための表示画面の一例を示した図である。
【図５】本発明の２画面表示処理を説明するための表示画面の一例を示した図である。
【図６】本発明の強調表示を説明するための表示画面の一例を示した図である。
【図７】本発明に係わる表示装置を説明するためのブロック図である。
【図８】画素領域分割表示処理、２画面表示処理の選択を説明するためのフロー図である。
【符号の説明】
【００４１】
１…表示装置、１１…コンテンツデータデコード部、１２…画像メモリ、１３…表示制御部、１３ａ…映像信号変換部、１３ｂ…画素領域分割処理部、１３ｃ…２画面処理部、１３ｄ…広色域表示画素検知部、１３ｅ…広色域表示画素強調部、１４…操作部、１５…画像データ出力部、１６…表示部、１００…画像、１１０…右側の画素領域、１１１…左側の画素領域、１２０…右側の縮小画像、１２１…左側の縮小画像。
【図１】
2009229883.tif 000003
【図２】
2009229883.tif 000004
【図３】
2009229883.tif 000005
【図４】
2009229883.tif 000006
【図５】
2009229883.tif 000007
【図６】
2009229883.tif 000008
【図７】
2009229883.tif 000009
【図８】
2009229883.tif 000010